(57)【要約】      （修正有）【課題】ボタンを押下すると一方の筐体が自動的に開く携帯端末、および筐体移動方法を提供する。【解決手段】ロック部２１が、中心軸に設けられた突起部３１を拘束して、第１の筐体が第２の筐体２に対して相対的に移動しないように固定する。スライド指示ボタン４が押下されると、ロック部２１が移動して、突起部３１の拘束を解除する。ロック部２１による突起部３１の拘束が解除されると、ばね部２２が、中心軸を円周方向に引っ張って回転させる。中心軸３が回転すると、中心軸３に固定されている第１の筐体が回転して、携帯電話機が開く。【選択図】図２
2006157418.tif 000002
【特許請求の範囲】
【請求項１】
第１の筐体と第２の筐体とが連結手段で連結された携帯端末において、
前記第１の筐体が前記第２の筐体に対して相対的に移動しないように固定する固定手段と、
押下されると前記固定手段による前記第１の筐体の固定を解除する固定解除手段と、
前記固定解除手段によって前記第１の筐体の固定が解除されると、前記第１の筐体をスライドするように移動させる移動手段とを含み、
前記固定手段は、前記第１の筐体を、前記第２の筐体における前記第１の筐体に相対する面を覆う状態である閉状態で固定し、
前記移動手段は、前記固定解除手段によって前記第１の筐体の固定が解除されると、前記第１の筐体を、前記第２の筐体における前記第１の筐体に相対する面を開放するように移動させる
ことを特徴とする携帯端末。
【請求項２】
移動手段は、前記第１の筐体に固定された円柱状の連結手段を中心として、前記第１の筐体を、スライドするように回転させることにより移動させる
請求項１記載の携帯端末。
【請求項３】
移動手段は、ばねであって、一端は第２の筐体内で固定され、他端は前記第２の筐体内における円柱状の連結手段の周面上の予め決められた位置である固定点で固定され、前記移動手段は、閉状態で、前記円柱状の連結手段の周面に沿って設置される
請求項２記載の携帯端末。
【請求項４】
連結手段は、周面上に突起部を有し、
固定手段は、閉状態で、前記連結手段の突起部を拘束し、固定解除手段が押下されると、前記前記固定解除手段に連動して移動して、前記連結手段の前記突起部の拘束を解除する
請求項３記載の携帯端末。
【請求項５】
移動手段は、固定手段が、連結手段の突起部の拘束を解除すると、円柱状の連結手段の固定点を前記円柱状の連結手段の周面に沿って牽引して前記円柱状の連結手段を回転させ、第１の筐体を、第２の筐体における前記第１の筐体に相対する面を開放するように移動させる
請求項４記載の携帯端末。
【請求項６】
第１の筐体と第２の筐体とが連結手段で連結された携帯端末で、前記第１の筐体を、前記第２の筐体における前記第１の筐体に相対する面を覆う状態である閉状態から、前記第１の筐体を、前記第２の筐体における前記第１の筐体に相対する面を開放するように移動させる筐体移動方法において、
前記第１の筐体が第２の筐体に対して相対的に移動しないように固定し、
固定解除手段が押下されると前記第１の筐体の固定を解除し、
前記第１の筐体を、前記第２の筐体における前記第１の筐体に相対する面を開放するように、スライドするように移動させる
ことを特徴とする筐体移動方法。
【発明の詳細な説明】
【技術分野】
【０００１】
本発明は、２つの筐体によって構成され、一方の筐体をスライドさせて開く携帯端末、および筐体移動方法に関する。
【背景技術】
【０００２】
ＬＣＤ等の表示部を含む筐体と、キーボード等の操作部を含む筐体とが連結部で連結されている携帯端末がある。そのような携帯端末において、一方の筐体を固定して、他方の筐体をスライドさせて携帯端末を開閉する形態が増加している。
【０００３】
しかし、そのような形態の携帯端末（以下、スライド式携帯端末という。）は、一方の手で一方の筐体を固定し、他方の手で他方の筐体をスライドさせるため、片手で携帯端末を開閉することが困難である。
【０００４】
例えば、一方の手で荷物を所持している場合、スライド式携帯端末を開くことは困難である。また、閉じたままでは通話することができないスライド式携帯端末では、着信時に一方の筐体を固定して他方の筐体をスライドさせなければならず、速やかに通話を開始することが困難である。
【０００５】
さらに、急いで発信したい場合であっても、一方の筐体を固定して他方の筐体をスライドさせなければならず、速やかに発信することが困難である。
【０００６】
ＬＣＤ等の表示部を含む筐体と、キーボード等の操作部を含む筐体とが連結部で連結され、連結部で折り畳むことができる折り畳み式携帯通信端末において、連結部に設置されているボタンを操作すると、自動的に開閉する構造が提案されている（例えば、特許文献１参照。）。
【０００７】
【特許文献１】特開２００２−３３５３１６号公報  （段落０００９、図１）
【発明の開示】
【発明が解決しようとする課題】
【０００８】
しかし、特許文献１に記載されている構造は、折り畳み式携帯通信端末の連結部で適用可能な構造であるが、スライド式携帯端末に適用することはできない。
【０００９】
そこで、本発明は、ボタンを押下すると一方の筐体が自動的に開く携帯端末、および筐体移動方法を提供することを目的とする。
【課題を解決するための手段】
【００１０】
本発明による携帯端末は、第１の筐体と第２の筐体とが連結手段で連結された携帯端末であって、第１の筐体が第２の筐体に対して相対的に移動しないように固定する固定手段と、押下されると固定手段による第１の筐体の固定を解除する固定解除手段と、固定解除手段によって第１の筐体の固定が解除されると、第１の筐体をスライドするように移動させる移動手段とを含み、固定手段は、第１の筐体を、第２の筐体における第１の筐体に相対する面を覆う状態である閉状態で固定し、移動手段は、固定解除手段によって第１の筐体の固定が解除されると、第１の筐体を、第２の筐体における第１の筐体に相対する面を開放するように移動させることを特徴とする。
【００１１】
移動手段は、第１の筐体に固定された円柱状の連結手段を中心として、第１の筐体を、スライドするように回転させることにより移動させてもよい。また、移動手段は、ばねであって、一端は第２の筐体内で固定され、他端は第２の筐体内における円柱状の連結手段の周面上の予め決められた位置である固定点で固定され、移動手段は、閉状態で、円柱状の連結手段の周面に沿って設置されてもよい。
【００１２】
連結手段は、周面上に突起部を有してもよく、固定手段は、閉状態で、連結手段の突起部を拘束し、固定解除手段が押下されると、固定解除手段に連動して移動して、連結手段の突起部の拘束を解除してもよい。また、移動手段は、固定手段が、連結手段の突起部の拘束を解除すると、円柱状の連結手段の固定点を円柱状の連結手段の周面に沿って牽引して円柱状の連結手段を回転させ、第１の筐体を、第２の筐体における第１の筐体に相対する面を開放するように移動させてもよい。
【００１３】
本発明による筐体移動方法は、第１の筐体と第２の筐体とが連結手段で連結された携帯端末で、第１の筐体を、第２の筐体における第１の筐体に相対する面を覆う状態である閉状態から、第１の筐体を、第２の筐体における第１の筐体に相対する面を開放するように移動させる筐体移動方法であって、第１の筐体が第２の筐体に対して相対的に移動しないように固定し、固定解除手段が押下されると第１の筐体の固定を解除し、第１の筐体を、第２の筐体における第１の筐体に相対する面を開放するように、スライドするように移動させることを特徴とする。
【発明の効果】
【００１４】
本発明によれば、ボタンを押下すると一方の筐体が移動して、携帯端末を自動的に開くことができる。
【発明を実施するための最良の形態】
【００１５】
実施の形態１．
本発明の第１の実施の形態について説明する。図１は、本発明の第１の実施の形態を示す説明図である。
【００１６】
本発明の第１の実施の形態の携帯電話機１００は、ＬＣＤ等の表示部５、表示部５を含む第１の筐体１、テンキー等の指示入力部６、第１の筐体１をスライドさせる指示を入力するスライド指示ボタン４、指示入力部６とスライド指示ボタン４とを含む第２の筐体２、および第１の筐体１と第２の筐体２とを接続する円柱状の中心軸（連結手段）３を含む。なお、第１の筐体１と中心軸３とは、固定されて接続されている。
【００１７】
ここで、図１（ａ）に示すような、第１の筐体１が、第２の筐体２の指示入力部６を覆う状態を閉状態という。また、図１（ｃ）に示すような、第２の筐体２の指示入力部６が露出して、第１の筐体１と第２の筐体２とが長手方向で直線状に並んだ状態を開状態という。
【００１８】
また、以下、携帯電話機１００において、通話状態で上側の向きを上方といい、通話状態で下側の向きを下方という。
【００１９】
図１（ｂ）は、携帯電話機１００において、閉状態から開状態に遷移する過程を示す説明図である。スライド指示ボタン４が押下されると、第１の筐体１は、中心軸３を中心にスライドして回転し、開状態から閉状態に遷移する。
【００２０】
図２は、本発明の第１の実施の形態の携帯電話機１００の第２の筐体２の内部構成を示す説明図である。図２（ａ）は、閉状態の第２の筐体２の内部構成を示す説明図である。図２（ｂ）は、開状態の第２の筐体２の内部構成を示す説明図である。
【００２１】
本発明の実施の形態の携帯電話機１００の第２の筐体２は、スライド指示ボタン（固定解除手段）４、スライド指示ボタン４が押下されると連動して移動するロック部（固定手段）２１、閉状態でロック部２１にロックされる中心軸３の円周（周面）上に設けられた突起部３１、一端が中心軸３の円周（周面）上の一点で固定され、他端が第２の筐体２の内部に設けられたフックで固定された引っ張りばねによって実現されるばね部（移動手段）２２、および中心軸３の回転を１８０°で停止させるように、突起部３１に突き当たるように第２の筐体２の内部に設けられた回転停止部２３を含む。
【００２２】
ロック部２１には、閉状態で突起部３１を拘束して中心軸３をロックするように凹部が設けられている。また、ロック部２１は、上方でスライド指示ボタン４とリンク機構を用いてリンク点２４で接続され、下方の回動中心点２５を中心に回動するように第２の筐体２に固定されている。
【００２３】
中心軸３は、第１の筐体１と第２の筐体２とを接続するケーブルを内包していてもよい。また、回転停止部２３または突起部３１には、第１の筐体１が急激な速度で回転することを防ぐために、スポンジや、ウレタン等が貼付されていてもよい。ばね部２２は、閉状態で中心軸３の円周（周面）に沿うように設置される。
【００２４】
本発明の第１の実施の形態の動作について説明する。
【００２５】
閉状態（図１（ａ）および図２（ａ）で示した状態）でスライド指示ボタン４が押下されると、リンク機構を介してロック部２１が、回動中心点２５を中心に回動する。すると、ロック部２１に設けられた凹部による中心軸３に設けられた突起部３１の拘束が解除され、中心軸３は、引っ張りばねであるばね部２２に引っ張られて反時計回りの方向で回転を開始する。このとき、ばね部２２は、中心軸３の円周（周面）に沿うように縮んでいく。
【００２６】
中心軸３が反時計回りの方向で回転すると、中心軸３の回転に従って、第１の筐体１も反時計回りの方向にスライドして回転する。中心軸３が１８０°回転すると、中心軸３に設けられた突起部３１が回転停止部２３に接して中心軸３の回転が停止し、開状態（図２（ｂ）で示した状態）となる。すると、第１の筐体１も、閉状態（図１（ａ）の状態）から１８０°スライドして回転した状態で停止し、開状態（図１（ｃ）の状態）となる。
【００２７】
また、開状態（図１（ｃ）および図２（ｂ）で示した状態）で、第２の筐体２が固定されて、第１の筐体１が中心軸３を中心にして時計回りの方向でスライドして回転されると、中心軸３に設けられた突起部３１が回転停止部２３から離れ、時計回りの方向で回転する。このときばね部２２は、中心軸３の回転に従って中心軸３の円周（周面）に沿って伸びていく。
【００２８】
第１の筐体１が１８０°回転されると、第１の筐体１の回転に従って中心軸３も１８０°回転し、中心軸３に設けられた突起部３１がロック部２１に設けられた凹部に嵌って、中心軸３は、ロック部２１によって回転しないように拘束される。すると、中心軸３の回転は停止する。ロック部２１は、設けられた凹部の内側の上方が突起部３１によって押されると、回動中心点２５を中心に回動し、リンク機構を介してスライド指示ボタン４を第２の筐体２の外側へ押し出し、  閉状態（図２（ａ）で示した状態）となる。すると、第１の筐体１も閉状態（図１（ａ）の状態）となる。
【００２９】
以上に述べたように、この実施の形態によれば、スライド指示ボタン４を押下するだけで、第１の筐体１をスライドして回転させて、携帯電話機１００を、閉状態から開状態に遷移させることができる。すなわち、携帯電話機１００の使用者は、片手の一本の指で、携帯電話機１００を閉状態から開状態に遷移させることができる。
【００３０】
実施の形態２．
本発明の第２の実施の形態について、図面を参照して説明する。図３は、本発明の第２の実施の形態を説明する説明図である。
【００３１】
本発明の第２の実施の形態は、第１の実施の形態におけるロック部２１、ばね部２２、回転停止部２３の代わりに、第２の筐体２が、中心軸３を回転させるモータ３２、モータ３２の回転を中心軸３に伝達するベルト３３、押下されると信号を出力する開状態検出スイッチ３５、および押下されると信号を出力する閉状態検出スイッチ３６を含む点が第１の実施の形態と異なる。なお、この実施の形態において、第２の筐体２は、音声を入力するマイクロフォン３４、指示入力部６、スライド指示ボタン４、および各部を制御する制御部３０を含む。
【００３２】
制御部３０は、例えば、ＣＰＵ等によって実現される。スライド指示ボタン４は、押下されると信号を制御部３０に出力するスイッチによって実現される。具体的には、スライド指示ボタン４は、例えば、タクトスイッチによって実現される。
【００３３】
ベルト３３は、モータ３２の回転軸と、中心軸３との円周に巻き付けられ、モータ３２の回転を中心軸３に伝達して、モータ３２の回転軸が回転すると、中心軸３を回転させる。
【００３４】
突起部３１は、中心軸３における、ベルト３３が巻き付けられている領域に干渉しない円周（周面）上の位置に設けられる。具体的には、例えば、中心軸３３の円周（周面）上において、ベルト３３は、指示入力部６のボタンが設けられている面に近い領域に巻き付けられ、突起部３１は、指示入力部６のボタンが設けられている面に遠い領域に設けられている。
【００３５】
開状態検出スイッチ３５は、第２の筐体２の内部において、携帯電話機１００が開状態になったときに中心軸３に設けられた突起部３１が押下するような位置に設けられる。閉状態検出スイッチ３６は、第２の筐体２の内部において、携帯電話機１００が閉状態になったときに中心軸３に設けられた突起部３１が押下するような位置に設けられる。
【００３６】
具体的には、例えば、開状態検出スイッチ３５は、中心軸３の外形の近傍の下方に設けられ、閉状態検出スイッチ３６は、中心軸３の外形の近傍の上方に設けられる。つまり、開状態検出スイッチ３５と、閉状態検出スイッチ３６とは、中心軸３の中心点に対して対称となる位置に設置される。
【００３７】
開状態検出スイッチ３５は、押下されると信号を制御部３０に出力する。制御部３０は、開状態検出スイッチ３５から信号が入力されると、携帯電話機１００が開状態であることを認識する。閉状態検出スイッチ３６は、押下されると信号を制御部３０に出力する。制御部３０は、閉状態検出スイッチ３６から信号が入力されると、携帯電話機１００が閉状態であることを認識する。
【００３８】
開状態検出スイッチ３５および閉状態検出スイッチ３６は、例えば、タクトスイッチによって実現される。
【００３９】
次に、この実施の形態の動作について説明する。閉状態（図１（ａ）の状態）では、突起部３１によって閉状態検出スイッチ３６が押下されているので、制御部３０に閉状態検出スイッチ３６から信号が入力される。すると、制御部３０は、携帯電話機１００が閉状態であることを認識する。
【００４０】
スライド指示ボタン４が押下されると、制御部３０は、モータ３２に、中心軸３を反時計回りの方向に回転させる信号を出力する。モータ３２は、中心軸３を反時計回りの方向に回転させるように回転軸を回転させる。すると、ベルト３３がモータ３２の回転軸の回転を中心軸３に伝達して、中心軸３を反時計回りの方向に回転させる。中心軸３が反時計回りの方向に回転すると、第１の筐体１が中心軸３を中心にして反時計回りの方向にスライドして回転する。
【００４１】
中心軸３が１８０°回転すると、中心軸３に設けられた突起部３１は、開状態検出スイッチ３５を押下する。すると、開状態検出スイッチ３５は、信号を制御部３０に出力する。制御部３０は、開状態検出スイッチ３５から信号が入力されると、携帯電話機１００が開状態になったことを認識して、モータ３２に、中心軸３を反時計回りの方向に回転させる信号の出力を停止する。すると、モータ３２は、回転軸の回転を停止し、中心軸３の回転が停止する。
【００４２】
このとき、中心軸３が１８０°回転したことに伴って、携帯電話機１００の第１の筐体１は中心軸３を中心にして１８０°スライドして回転する。すなわち、開状態（図１（ｃ）で示した状態）となる。
【００４３】
また、開状態（図１（ｃ）の状態）では、突起部３１によって開状態検出スイッチ３５が押下されているので、制御部３０に開状態検出スイッチ３５から信号が入力される。すると、制御部３０は、携帯電話機１００が開状態であることを認識する。
【００４４】
スライド指示ボタン４が押下されると、制御部３０は、モータ３２に、中心軸３を時計回りの方向に回転させる信号を出力する。モータ３２は、中心軸３を時計回りの方向に回転させるように回転軸を回転させる。すると、ベルト３３がモータ３２の回転軸の回転を中心軸３に伝達して、中心軸３を時計回りの方向に回転させる。中心軸３が時計回りの方向に回転すると、第１の筐体１が中心軸３を中心にして時計回りの方向にスライドして回転する。
【００４５】
中心軸３が１８０°回転すると、中心軸３に設けられた突起部３１は、閉状態検出スイッチ３６を押下する。すると、閉状態検出スイッチ３６は、信号を制御部３０に出力する。制御部３０は、閉状態検出スイッチ３６から信号が入力されると、携帯電話機１００が閉状態になったことを認識して、モータ３２に、中心軸３を時計回りの方向に回転させる信号の出力を停止する。すると、モータ３２は、回転軸の回転を停止し、中心軸３の回転が停止する。
【００４６】
このとき、中心軸３が１８０°回転したことに伴って、携帯電話機１００の第１の筐体１は中心軸３を中心にして１８０°スライドして回転する。すなわち、閉状態（図１（ａ）で示した状態）となる。
【００４７】
以上に述べたように、この実施の形態によれば、スライド指示ボタン４を押下するだけで、第１の筐体１を中心軸３を中心にスライドして回転させて、携帯電話機１００を、モータ３２を用いて閉状態から開状態へ、および開状態から閉状態へ遷移させることができる。すなわち、携帯電話機１００の使用者は、片手の一本の指で、携帯電話機１００を閉状態から開状態および開状態から閉状態に遷移させることができる。
【００４８】
なお、この実施の形態では、モータ３２の回転軸の回転の中心軸３への伝達に、ベルト３３を用いたが、本発明はこれに限定されるものではなく、傘歯車の組み合わせ等の他の方法を用いてもよい。
【００４９】
実施の形態３．
本発明の第３の実施の形態について、図面を参照して説明する。この実施の形態では、第１の筐体１が、第２の筐体２における指示入力部６のボタンが設けられている面に沿って直線的にスライドして、携帯電話機１００が閉状態から開状態および開状態から閉状態へ遷移する。図４は、本発明の第３の実施の形態を説明する説明図である。
【００５０】
図において、図４（ａ）は、携帯電話機１００の閉状態を示す図である。図４（ｂ）は、携帯電話機１００が閉状態から開状態に遷移する過程を示す図である。図４（ｃ）は、携帯電話機１００の開状態を示す図である。
【００５１】
図５は、本発明の第３の実施の形態の携帯電話機１００の第１の筐体１および第２の筐体２を示す説明図である。
【００５２】
本発明の第３の実施の形態は、ベルト３３の代わりに、第１の筐体１における第２の筐体２と相対する面に、連続して直線状に設けられた歯であるラック部１１、第１の突起部１２、および第２の突起部１３を含む。また、第２の筐体２において、モータ３２の回転軸に、平歯車であるピニオン部３７が設けられている。図５（ａ）は、この実施の形態の第２の筐体の内部構成を示す説明図である。図５（ｂ）は、この実施の形態における第１の筐体１の第２の筐体２に相対する面の説明図である。
【００５３】
ラック部１１は、図５（ｂ）の例に示すように、第１の筐体１における第２の筐体２に相対する面に、第２の筐体２のモータ３２にピニオン部３７とかみ合う位置に設けられる。また、第１の突起部１２は、例えば、ラック部１１の下方の延長線上に設けられ、第２の突起部１３は、ラック部１１の上方の延長線上に設けられる。
【００５４】
この実施の形態において、開状態検出スイッチ３５は、携帯電話機１００が開状態になったときに、第１の突起部１２が押下する位置に設置される。また、この実施の形態において、閉状態検出スイッチ３６は、携帯電話機１００が閉状態になったときに、第２の突起部１３が押下する位置に設置される。
【００５５】
次に、この実施の形態の動作について説明する。閉状態（図４（ａ）の状態）では、第２の突起部１３によって閉状態検出スイッチ３６が押下されているので、制御部３０に閉状態検出スイッチ３６から信号が入力される。すると、制御部３０は、携帯電話機１００が閉状態であることを認識する。
【００５６】
スライド指示ボタン４が押下されると、制御部３０は、モータ３２に、ピニオン部３７とラック部１１とを介して第１の筐体１を上方に移動させる信号を出力する。モータ３２は、第１の筐体１を上方に移動させる方向に、回転軸を介してピニオン部３７を回転させる。すると、ピニオン部３７がモータ３２の回転をラック部１１に伝達して、第１の筐体１を上方に移動させる。すると、第１の筐体１が上方にスライドして移動する。
【００５７】
第１の筐体１が移動して携帯電話機１００が開状態になると、第１の筐体１に設けられた第１の突起部１２が、開状態検出スイッチ３５を押下する。すると、開状態検出スイッチ３５は、信号を制御部３０に出力する。制御部３０は、開状態検出スイッチ３５から信号が入力されると、携帯電話機１００が開状態になったことを認識して、モータ３２に、第１の筐体１を上方に移動させる信号の出力を停止する。すると、モータ３２は、回転軸の回転を停止し、ピニオン部３７とラック部１１とを介した第１の筐体１の移動が停止する。
【００５８】
このとき、携帯電話機１００の第１の筐体１はスライドして移動したため、開状態（図４（ｃ）で示した状態）となる。
【００５９】
また、開状態（図４（ｃ）の状態）では、第１の突起部１２によって開状態検出スイッチ３５が押下されているので、制御部３０に開状態検出スイッチ３５から信号が入力される。すると、制御部３０は、携帯電話機１００が開状態であることを認識する。
【００６０】
スライド指示ボタン４が押下されると、制御部３０は、モータ３２に、第１の筐体１を下方に移動させる信号を出力する。モータ３２は、第１の筐体１を下方に移動させる方向に、回転軸を介してピニオン部３７を回転させる。すると、ピニオン部３７がモータ３２の回転をラック部１１に伝達して、第１の筐体１を下方に移動させる。すると、第１の筐体１が下方にスライドして移動する。
【００６１】
第１の筐体１が移動して携帯電話機１００が閉状態になると、第１の筐体１に設けられた第２の突起部１３が、閉状態検出スイッチ３６を押下する。すると、閉状態検出スイッチ３６は、信号を制御部３０に出力する。制御部３０は、閉状態検出スイッチ３６から信号が入力されると、携帯電話機１００が閉状態になったことを認識して、モータ３２に、第１の筐体１を下方に移動させる信号の出力を停止する。すると、モータ３２は、回転軸の回転を停止し、ピニオン部３７とラック部１１とを介した第１の筐体１の移動が停止する。
【００６２】
このとき、携帯電話機１００の第１の筐体１はスライドして移動したため、閉状態（図４（ａ）で示した状態）となる。
【００６３】
以上に述べたように、この実施の形態によれば、スライド指示ボタン４を押下するだけで、第１の筐体１を直線的にスライドさせて、携帯電話機１００を、モータ３２を用いて閉状態から開状態へ、および開状態から閉状態へ遷移させることができる。すなわち、携帯電話機１００の使用者は、片手の一本の指で、携帯電話機１００を閉状態から開状態および開状態から閉状態に遷移させることができる。
【００６４】
なお、第２の筐体２におけるスライド指示ボタン４が設置されている面の反対側の面に、第１の筐体１が移動する範囲に応じた溝が設けられていてもよく、第１の筐体１は、第２の筐体２に設けられている溝に嵌合して、第１の筐体１が第２の筐体２から脱落しないようにし、かつ、第１の筐体１が第２の筐体２に設けられている溝に沿って摺動するような連結手段を備えていてもよい。
【００６５】
また、連結手段は、第２の筐体２と第１の筐体１とを接続するケーブルを内包していてもよい。
【００６６】
なお、以上に述べた各実施の形態では、携帯端末の一例として、携帯電話機１００を例示して説明したが、本発明誇れに限定されるものではなく、例えば、ＰＨＳ（Ｐｅｒｓｏｎａｌ  Ｈａｎｄｙ  Ｐｈｏｎｅ  Ｓｙｓｔｅｍ）端末や、ＰＤＡ（Ｐｅｒｓｏｎａｌ  Ｄｉｇｉｔａｌ  Ａｓｓｉｓｔａｎｃｅ）等であってもよい。
【産業上の利用可能性】
【００６７】
２つの筐体で構成される携帯端末に適用することができる。
【図面の簡単な説明】
【００６８】
【図１】本発明の第１の実施の形態を示す説明図である。
【図２】本発明の第１の実施の形態の携帯電話機の第２の筐体の内部構成を示す説明図である。
【図３】本発明の第２の実施の形態を説明する説明図である。
【図４】本発明の第３の実施の形態を説明する説明図である。
【図５】本発明の第３の実施の形態の携帯電話機の第１の筐体および第２の筐体を示す説明図である。
【符号の説明】
【００６９】
１    第１の筐体
２    第２の筐体
３    中心軸
４    スライド指示ボタン
５    表示部
６    指示入力部
１１  ラック部
１２  第１の突起部
１３  第２の突起部
２１  ロック部
２２  ばね部
２３  回転停止部
２４  リンク点
２５  回動中心点
３０  制御部
３１  突起部
３２  モータ
３３  ベルト
３４  マイクロフォン
３５  開状態検出スイッチ
３６  閉状態検出スイッチ
３７  ピニオン部
【図１】
2006157418.tif 000003
【図２】
2006157418.tif 000004
【図３】
2006157418.tif 000005
【図４】
2006157418.tif 000006
【図５】
2006157418.tif 000007